(57)【要約】【課題】設置試験に際しシステム内の異常原因を迅速にかつ的確に特定できるようにし、これにより試験効率を大幅に高める。【解決手段】アダプタ装置８にディップスイッチＳＷ１〜ＳＷ８を使用した入力操作部８６を設け、この入力操作部８６により設定された動作モードをＣＰＵ８１で判定する。そして、設置試験モードが設定された場合に、ＣＰＵ８１の制御の下、ハンディナースコール主装置３及びそれに接続される携帯端末７１〜７ｍとの間で設置試験のための発呼手順を自律的に実行し、その実行経過及び実行結果を表示部８７のＬＥＤ群により表示するようにしたものである。【選択図】    図２
2004312618.tif 000002
【特許請求の範囲】
【請求項１】
呼出操作部の操作に応じて呼出報知動作を行うナースコール親機と、携帯端末を呼び出す移動通信主装置との間を接続し、前記ナースコール親機と移動通信主装置との間で伝送される信号の変換処理を行うアダプタ装置において、
動作モードを設定するスイッチと、
前記スイッチにより設定された動作モードが設置試験モードであるかその他のモードであるかを判定する判定手段と、
前記判定手段により設置試験モードが設定されたと判定された場合に、前記移動通信主装置との間で前記携帯端末を試験的に呼び出すための発呼手順を自律的に実行する設置試験制御手段と、
前記設置試験制御手段による発呼手順の実行結果を表す情報を表示する表示手段と
を具備することを特徴とするアダプタ装置。
【請求項２】
前記移動通信主装置に複数台の携帯端末が接続可能な場合に、
前記設置試験制御手段は、前記発呼手順において前記接続可能なすべての携帯端末を呼び出すことを特徴とする請求項１記載のアダプタ装置。
【請求項３】
前記設置試験制御手段は、発呼手順中に呼び出し対象の携帯端末に向けて試験中である旨の表示データを含む信号を送信することを特徴とする請求項１又は２記載のアダプタ装置。
【請求項４】
前記報知手段は、前記発呼手順の実行期間中に実行経過を表す情報を表示する機能を、さらに備えることを特徴とする請求項１記載のアダプタ装置。
【発明の詳細な説明】
【０００１】
【発明の属する技術分野】
この発明は、病院や介護老人ホーム等で使用されるナースコールシステムにおいて、ナースコール親機と、携帯端末を収容する移動通信主装置との間を接続するために設けられるアダプタ装置に関する。
【０００２】
【従来の技術】
従来、ナースコールシステムは、各病室に呼出ボタンを有する呼出子機をそれぞれ設置すると共に、ナースセンタにナースコール親機を設置している。そして、患者が呼出ボタンを操作した場合に、呼出子機からナースコール親機へ呼出信号を送信し、ナースコール親機で鳴音を発生すると共に呼出元の病室或いは患者の番号等を表示するように構成されている。ところが、このシステムでは、患者から呼出が発生した場合に、その旨がナースコール親機において鳴音等により報知される。このため、看護師又は介護師が例えば病棟内を巡回している場合のように、ナースセンタに不在の場合には、上記呼出に看護師又は介護師が気付くまでに時間がかかるという問題がある。
【０００３】
そこで最近では、看護師に携帯電話機等の携帯端末を所持させ、患者から呼出が発生した場合にナースコール親機から上記携帯端末を呼び出すシステムが開発されている。このようなシステムであれば、看護師又は介護師は巡回中においても患者の呼出を把握して迅速に対応することが可能となる。しかし、このシステムはナースコール親機が携帯端末を直接呼び出すものであるため、ナースコール対応の専用の携帯端末を用意しなければならず、システムのコストアップを招くという問題がある。
【０００４】
一方、ナースコール親機を、アダプタ装置を介して、コードレス電話機を収容する汎用の無線主装置に接続し、ナースコール親機から出力される呼出信号を上記アダプタ装置でダイヤル信号に変換して無線主装置に供給することにより、コードレス電話機を呼び出すシステムが提案されている（例えば、特許文献１を参照。）。
【０００５】
このようなシステムであれば、汎用のコードレス無線電話システムを使用することでシステムを安価に構成できる利点がある。また、既設のナースコールシステムにコードレス無線電話システムを増設する場合にも、アダプタ装置を追加するだけで容易に接続することができる。
【０００６】
【特許文献１】
特許第２７３８４８１号公報。
【０００７】
【発明が解決しようとする課題】
ところで、従来この種のシステムにおいて、システムの設置時又は運用開始後に設置試験を行う場合には、ナースコール親機とコードレス無線電話システムとの間を変換装置を介して接続した状態で、実際にナースコールの呼出を発生させてコードレス電話機を呼び出すようにしている。
【０００８】
しかしながら、このような試験方法では、コードレス電話機において着信報知が行われない場合に、ナースコールシステム中のどこに原因があるのかを特定し難い。このため、設置試験に多くの時間と手間を必要とし、改善が切望されていた。
【０００９】
この発明は上記事情に着目してなされたもので、その目的とするところは、設置試験に際しシステム内の異常原因を迅速にかつ的確に特定できるようにし、これにより試験効率を大幅に高めることが可能なナースコールシステムとそのアダプタ装置を提供することにある。
【００１０】
【課題を解決するための手段】
上記目的を達成するためにこの発明は、呼出操作部の操作に応じて呼出報知動作を行うナースコール親機と、携帯端末を呼び出す移動通信主装置との間に接続されるアダプタ装置において、動作モードを設定するスイッチと、動作モードの判定手段と、設置試験制御手段と、表示手段とを設ける。そして、上記スイッチにより設定された動作モードが設置試験モードであるかその他のモードであるかを上記判定手段により判定し、設置試験モードが設定された場合に、上記設置試験制御手段により移動通信主装置との間で携帯端末を試験的に呼び出すための発呼手順を自律的に実行し、かつこの試験発呼手順の実行結果を表す情報を上記表示手段に表示するようにしたものである。
【００１１】
したがってこの発明によれば、アダプタ装置において、スイッチを操作して設置試験モードを設定すると、アダプタ装置と移動通信主装置との間で発呼手順が自律的に実行され、その結果が表示される。すなわち、ナースコール親機を切り離した状態で、アダプタ装置と携帯端末との間の設置試験が独立して行われる。このため、接続異常が発生した場合に、試験作業者はその異常発生箇所を迅速かつ確実に特定することが可能となり、これによりシステムの設置時又は保守時における試験効率を大幅に高めることができる。
【００１２】
また、ナースコール親機を切り離した状態で設置試験を行えるので、既設のナースコールシステムの運用を停止させることなく、換言すれば看護システムに支障を及ぼすことなく設置試験を行うことができる。この効果は、特に救急救命病棟等のようにナースコールの伝達遅延又は停止が看護に重大な支障を及ぼす可能性がある病棟において、きわめて有効である。
【００１３】
またこの発明は、次のような各種具体的構成を備えることも特徴とする。
第１の構成は、移動通信主装置に複数台の携帯端末が接続可能な場合に、設置試験制御手段により、発呼手順において上記接続可能なすべての携帯端末を呼び出すものである。このようにすると、複数台の携帯端末のすべてについて短時間のうちに効率良く試験することが可能となる。
【００１４】
第２の構成は、設置試験制御手段において、発呼手順中に呼び出し対象の携帯端末に向けて試験中である旨の表示データを含む信号を送信するものである。このようにすると、携帯端末の動作を確認している作業者に試験中である旨を明示することができると共に、同時に携帯端末の表示機能の動作チェックを行うことが可能となる。
【００１５】
第３の構成は、報知手段において、発呼手順の実行期間中に実行経過を表す情報を表示するものである。このようにすると、試験作業者は試験結果のみならず試験の経過を確認することができ、これにより発呼手順中に異常が発生した場合に、その異常原因を比較的簡単にかつ短時間に特定することが可能となる。
【００１６】
【発明の実施の形態】
図１は、この発明の一実施形態に係わるアダプタ装置を備えたナースコールシステムの概略構成図である。
【００１７】
ナースコールシステムは、各病室にそれぞれ設置される病室ユニット１１〜１ｎと、ナースセンタに設置されるナースコール親機２とを備え、これらの病室ユニット１１〜１ｎとナースコール親機２との間はそれぞれ通信線路を介して接続される。またナースコールシステムは、例えば病院内の通信センタに設置されるハンディナースコール主装置３及び構内交換機（ＰＢＸ：Ｐｒｉｖａｔｅ  Ｂｒａｎｃｈ  Ｅｘｃｈａｎｇｅ）４を備え、ハンディナースコール主装置３には無線ユニット６が接続され、またＰＢＸ４は公衆網５に接続される。
【００１８】
病室ユニット１１〜１ｎは、病室の天井等に設置されたマイクロホン１０１及びスピーカ１０２と、トイレ・浴室用押しボタン１０３と、代表廊下灯１０４と、復旧ボタン１０５とを備え、これらはＩ／Ｏユニット１０６を介して個別情報廊下灯１０７に接続される。また病室ユニット１１〜１ｎは、ハンド型子機１０９及び握り押しボタン１１０を備え、これらは病床の壁に設けられた壁埋め込み型子機１０８を介して上記個別情報廊下灯１０７に接続される。
【００１９】
このうち、握り押しボタン１１０及びトイレ・浴室用押しボタン１０３は患者が看護師又は介護師を呼び出す際に使用するもので、その操作信号はそれぞれ壁埋め込み型子機１０８又はＩ／Ｏユニット１０６を介して個別情報廊下灯１０７に伝えられる。また、壁埋め込み型子機１０８に設けられた押しボタンが押下された場合にも、操作信号が個別情報廊下灯１０７に伝えられる。個別情報廊下灯１０７は、上記各押しボタンの操作信号を受信すると、自身の表示部に呼出の発生を表示する。またそれと共に、呼出信号を生成してナースコール親機２へ送信する。呼出信号には、押しボタンの番号又はアドレス情報が挿入される。
【００２０】
マイクロホン１０１とスピーカ１０２、ハンド型子機１０９、及び壁埋め込み型子機１０８は、患者が呼出に対し応答した看護師又は介護師と通話を行うために使用するもので、その通話信号は通話路を介してナースコール親機２へ送信される。通話路は、ナースコール親機２において看護師又は介護師が患者の呼出に対し応答操作することにより確立される。なお、復旧ボタン１０５は上記呼出をリセットする場合に使用される。
【００２１】
ナースコール親機２は、例えばマイクロコンピュータを使用する制御部と、上記各病室ユニット１１との間で信号の伝送を行うための通信インタフェースと、マイクロホン及びスピーカを有する通話部と、キー操作部及び表示部とを備えている。
【００２２】
このうち制御部は、ナースコール親機２の動作を統括的に制御するもので、呼出表示制御機能や通話制御機能等の通常のナースコール制御機能に加え、呼出転送制御機能を備えている。呼出転送制御機能は、病室ユニット１１〜１ｎから呼出信号が到来した場合に、この呼出が緊急呼出であるか通常呼出であるかを判定する。そして、上記緊急／通常の判定結果と、呼出元の患者を識別する識別番号とを含む呼出信号を作成し、この呼出信号をハンディナースコール主装置３に向け送信する。
【００２３】
ハンディナースコール主装置３は、例えば構内ＰＨＳ（Ｐｅｒｓｏｎａｌ  Ｈａｎｄｙｐｈｏｎｅ  Ｓｙｓｔｅｍ）対応の交換装置からなるもので、交換制御部やタイムスイッチの他に、複数の内線インタフェースと、局線インタフェースと、保守インタフェースとを備える。内線インタフェースにはそれぞれ無線ユニット６の無線基地局６１，６２が接続される。無線基地局６１，６２はそれぞれ無線エリアを形成し、この無線エリア内に存在する携帯端末７１〜７ｍとの間で無線回線を介して接続される。局線インタフェースにはＰＢＸ４が接続される。また、保守インタフェースにはシステム設定用電話機７が接続される。システム設定用電話機７は、構内ＰＨＳの各種動作条件や内線番号等を設定する際に使用する。
【００２４】
ところで、前記ナースコール親機２とハンディナースコール主装置３との間にはアダプタ装置８が設けてある。このアダプタ装置８は、ナースコール親機２とハンディナースコール主装置３との間で通信プロトコル及び各種信号の変換処理を行うもので、例えば次のように構成される。図２はその機能構成を示すブロック図である。
【００２５】
すなわちアダプタ装置８は、制御系として、中央処理ユニット（ＣＰＵ：Ｃｅｎｔｒａｌ  Ｐｒｏｃｅｓｓｉｎｇ  Ｕｎｉｔ）と、プログラムメモリ８２と、記憶部８３と、ＲＡＭ８４と、通信インタフェース８５と、入力部８６及び表示部８７とを備える。また、通話系としてスピーチコーデック（ＣＯＤＥＣ）８８と、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）インタフェース８９と、通話増幅器９１，９２とを備えている。
【００２６】
記憶部８３は、例えばフラッシュメモリ又はハードディスク装置等の不揮発性記憶媒体を使用する。この記憶部８３には、呼出種別を表す情報、つまり緊急呼出であるか通常呼出であるかを表す識別コードに対応付けて、緊急呼出先及び通常呼出先の携帯端末の電話番号が格納されている。ＲＡＭ８４は、ナースコール親機２或いはハンディナースコール主装置３から送られた制御信号を一時保持するためのバッファとして使用される。
【００２７】
通信インタフェース８５は、ＣＰＵ８１の制御の下、ナースコール親機２及びハンディナースコール主装置３との間で各種制御信号の送受信を行う機能を有する。入力部８６は、例えば図３に示すように８個のディップスイッチＳＷ１〜ＳＷ８からなり、設置或いは保守の作業者がアダプタ装置８の動作モードを手動設定する際に使用する。表示部８７は、例えば図４に示すように８個のＬＥＤ（Ｌｉｇｈｔ  Ｅｍｉｔｔｉｎｇ  Ｄｉｏｄｅ）ＬＤ１〜ＬＤ８を一列に配置したもので、アダプタ装置８の各種動作状態を表示するために使用される。
【００２８】
スピーチコーデック８８は、ナースコール親機２とハンディナースコール主装置３との間で伝送される通話信号の信号変換を行う。具体的には、ナースコール親機２から到来したアナログ通話信号を、ＩＳＤＮ対応のディジタル通話信号に変換する。一方、ハンディナースコール主装置３から到来したＩＳＤＮ対応のディジタル通話信号を、ナースコール親機２で取り扱うことが可能なアナログ通話信号に変換する。
【００２９】
ＩＳＤＮインタフェース８９は、ハンディナースコール主装置３との間で、ＩＳＤＮで規定される信号フォーマットに従いディジタル通話信号の送受信動作を行う。通話増幅器９１は、上記ナースコール親機２から到来したアナログ通話信号を、上記スピーチコーデック８８のＡ／Ｄ変換処理に必要な信号レベルに増幅する。通話増幅器９２は、スピーチコーデック８８から出力されたアナログ通話信号を、ナースコール親機２で受信可能な信号レベルに増幅する。
【００３０】
ところで、プログラムメモリ８２には、この発明を実施するために必要なプログラムとして、動作モード判定プログラム８２ａと、設置試験実行制御プログラム８２ｂと、試験経過表示制御プログラム８２ｃとが格納されている。
【００３１】
動作モード判定プログラム８２ａは、電源投入時に入力操作部８６のディップスイッチＳＷ１〜ＳＷ８のオンオフ状態を検出し、この検出されたディップスイッチＳＷ１〜ＳＷ８のオンオフ状態をもとに、動作モードとして通常モードが設定されているか或いは設置試験モードが設定されているかを判定する。
【００３２】
設置試験実行制御プログラム８２ｂは、設置試験モードが設定されている場合に、ハンディナースコール主装置３との間で、携帯端末７１〜７ｍを呼び出すための試験発呼手順を自律的に実行する。この試験発呼手順は、すべての携帯端末７１〜７ｍを一斉に呼び出すように設定される。また、携帯端末７１〜７ｍに試験中であることを表示するメッセージを送信するように設定される。
【００３３】
試験経過表示制御プログラム８２ｃは、上記設置試験実行制御プログラム８２ｂによる試験発呼手順の実行中にその経過を表示部８７のＬＥＤ群により表示する。また発呼手順終了後にその結果、つまり接続完了又は接続異常の発生を上記表示部８７のＬＥＤ群により表示する。表示情報の識別は、駆動するＬＥＤの位置と、“点灯”、“点滅”（点滅周期の異なる複数種）、“消灯”を組み合わせることにより実現する。
【００３４】
次に、以上のように構成されたアダプタ装置８による試験動作を説明する。  図５はその制御手順と内容の概要を示すフローチャート、図６及び図７は試験発呼手順のシーケンスと発呼手順の経過及び結果の表示例を示す図である。
【００３５】
なお、ここでは既設のナースコールシステムに、ハンディナースコール主装置３及び無線ユニット６を新たに追加接続する場合を例にとって説明する。
設置作業者は、先ずアダプタ装置８をハンディナースコール主装置３に接続する。そして、この接続作業の終了後に、アダプタ装置８に設けられているディップスイッチＳＷ１〜ＳＷ８のうち設置試験モード設定用のディップスイッチＳＷ７を“オン”にし、この状態でアダプタ装置８及びハンディナースコール主装置３の電源を投入する。
【００３６】
そうするとアダプタ装置８のＣＰＵ８１は、図５に示すように先ずステップ５ａでディップスイッチＳＷ１〜ＳＷ８のオンオフの状態を検出し、この検出されたディップスイッチＳＷ１〜ＳＷ８のオンオフの状態をもとに、作業者が指定した動作モードが設置試験（接続試験）モードであるか通常モードであるかをステップ６ｂにより判定する。このとき、ディップスイッチＳＷ１〜ＳＷ８はディップスイッチＳＷ７のみが“オン”になっている。このため、ＣＰＵ８１はアダプタ装置８の動作モードとして設置試験モードを設定する。
【００３７】
さて、設置試験モードを設定するとアダプタ装置８のＣＰＵ８１はステップ５ｃに移行し、ここでアダプタ装置８とハンディナースコール主装置３及び無線ユニット６との間の設置試験を以下のように実行する。またこの設置試験と並行して、ステップ５ｄによりＬＥＤを使用して試験の実行経過及び実行結果の表示制御を行う。なお、上記設置試験モードが設定されると、表示部８７ではＬＤ２が点灯状態となる。
【００３８】
（１）アダプタ装置８とハンディナースコール主装置３との間が正常に接続されている場合
アダプタ装置８のＣＰＵ８１は、図６に示すように、先ずハンディナースコール主装置３との間で初期化処理を実行する。そして、これによりアダプタ装置８とハンディナースコール主装置３との間が通信可能な状態になると、ＤＬ確立状態に移行する。なお、上記初期化中においてＬＤ８は普通の速度で点滅し、かつＬＤ３はそれより速い速度で点滅する。またＤＬ確立状態においては、ＬＤ８のみが普通の速度で点滅する。
【００３９】
続いてアダプタ装置８のＣＰＵ８１は、ハンディナースコール主装置３に対して初期化完了要求（ＮＣスタートコマンド（ＮＳ））を送信する。このＮＣスタートコマンド（ＮＳ）の送信は、図６に示すように１０秒間隔で複数回繰り返される。このとき表示部８７では、ＮＣスタートコマンド（ＮＳ）が送信された時点でＬＤ４が一瞬点滅し、かつＬＤ６，ＬＤ８は普通の速度でそれぞれ点滅する。
【００４０】
上記ＮＣスタートコマンド（ＮＳ）を正常に受信すると、ハンディナースコール主装置３は初期化完了応答（ＣＯＮＴスタートコマンド（ＣＳ））を返送する。アダプタ装置８のＣＰＵ８１は、上記ＣＯＮＴスタートコマンド（ＣＳ）を受信すると、その時点でＬＤ４を一瞬点滅させ、かつＬＤ８のみを普通の速度で点滅させる。
【００４１】
さて、上記初期化手順が終了するとアダプタ装置８のＣＰＵ８１は、次に呼出コマンド（ＣＡ）をハンディナースコール主装置３へ送信する。このとき呼出コマンド（ＣＡ）には、設置試験である旨の表示メッセージが挿入される。また表示部８７では、ＬＤ４が一瞬点滅しＬＤ８は普通の点灯状態となる。
【００４２】
ハンディナースコール主装置３は、アダプタ装置８から上記呼出コマンド（ＣＡ）が到来すると、携帯端末７１〜７ｍに対しそれぞれ上記表示データを挿入した着呼メッセージを送信する。この結果、携帯端末７１〜７ｍでは鳴音、発光又は振動による着信報知動作が行われ、かつ設置試験である旨の表示メッセージが表示器に表示される。図８は、この設置試験である旨の表示メッセージの表示例を示すものである。
【００４３】
アダプタ装置８のＣＰＵ８１は、上記呼出コマンド（ＣＡ）の送信終了後、例えば３０秒が経過した時点で、アダプタ装置８の状態を通知するための制御信号（ＮＣアライブコマンド（ＮＡ））をハンディナースコール主装置３へ送信する。このＮＣアライブコマンド（ＮＡ）を受信するとハンディナースコール主装置３は、自装置の状態を通知するための制御信号（ＣＯＮＴアライブコマンド（ＣＡ））を返送する。
【００４４】
また、この状態で作業者が、携帯端末７１〜７ｍの各々において着信応答操作を行うと、ハンディナースコール主装置３は上記着信応答ごとに応答コマンド（ＲＣ）を生成してアダプタ装置８へ送信する。この応答コマンド（ＲＣ）を受信するとアダプタ装置８は、接続完了コマンド（ＣＣ）をハンディナースコール主装置３へ送信する。かくして、アダプタ装置８と上記着呼応答した携帯端末７１〜７ｍとの間には通話リンクが確立される。ただし、アダプタ装置８には通話手段が設けられていないため、アダプタ装置８と携帯端末７１〜７ｍとの間では通話を行うことはできない。
【００４５】
そして、この状態で携帯端末７１〜７ｍが切断すると、ハンディナースコール主装置３は切断要求コマンド（ＴＥ）をアダプタ装置８へ送信する。アダプタ装置８のＣＰＵ８１は、上記切断要求コマンド（ＴＥ）を受信すると、アダプタ装置８の状態を通知するためのＮＣアライブコマンド（ＮＡ）をハンディナースコール主装置３へ送信する。このＮＣアライブコマンド（ＮＡ）を受信するとハンディナースコール主装置３は、自装置の状態を通知するためのＣＯＮＴアライブコマンド（ＣＡ）を返送する。
【００４６】
以上のようにして設置試験が行われる。なお、表示部８７におけるＬＥＤの表示状態は、前記ＣＯＮＴスタートコマンド（ＣＳ）の受信以降変化しない。すなわち、ＬＤ４が一瞬点滅しかつＬＤ８が普通の速度で点滅する状態を保持する。設置作業者は、上記したように携帯端末７１〜７ｍに実際に着信報知がなされたことと、上記表示部８７におけるＬＥＤの点滅パターンとから、アダプタ装置８と携帯端末７１〜７ｍとの間の接続が正常であることを認識できる。
【００４７】
（２）アダプタ装置８とハンディナースコール主装置３との間が正常に接続されていない場合
アダプタ装置８のＣＰＵ８１は、図７に示すように、先ずハンディナースコール主装置３との間で初期化処理を実行する。このとき表示部８７では、ＬＤ８は普通の速度で点滅し、かつＬＤ３はそれより速い速度で点滅する。
【００４８】
アダプタ装置８とハンディナースコール主装置３との間の接続が正常になされていないと、上記初期化処理が正常に行われず、ＤＬ確立状態に移行しない。そして、上記初期化処理の開始時点から一定時間が経過すると、アダプタ装置８とハンディナースコール主装置３との間では初期化完了処理が実行され、一旦待機状態に戻る。このとき表示部８７では、ＬＤ３及びＬＤ８とも普通の速度で点滅する。アダプタ装置８は、以上の初期化処理を一定時間置いたのち再度試行し、この初期化処理の再試行によってもＤＬ確立状態に移行しない場合には、設置試験を終了する。
【００４９】
したがって設置作業者は、上記したように携帯端末７１〜７ｍに着信報知がなされないことと、上記表示部８７におけるＬＥＤの点滅パターンとから、アダプタ装置８と携帯端末７１〜７ｍとの間の接続が正常になされていないことを把握することができる。
【００５０】
なお、以上述べたアダプタ装置８と携帯端末７１〜７ｍとの区間の設置試験を終了すると、設置作業者は続いてアダプタ装置８にナースコール親機２を接続する。そして、このナースコール親機２と携帯端末７１〜７ｍとの区間で実際に呼出を発生させることにより設置試験を行う。
【００５１】
以上述べたようにこの実施形態では、アダプタ装置８にディップスイッチＳＷ１〜ＳＷ８を使用した入力操作部８６を設け、この入力操作部８６により設定された動作モードをＣＰＵ８１で判定する。そして、設置試験モードが設定された場合に、ＣＰＵ８１の制御の下、ハンディナースコール主装置３及びそれに接続される携帯端末７１〜７ｍとの間で設置試験のための発呼手順を自律的に実行し、その実行経過及び実行結果を表示部８７のＬＥＤ群により表示するようにしている。
【００５２】
したがって、この実施形態によれば、ナースコール親機２を切り離した状態で、アダプタ装置８と携帯端末７１〜７ｍとの間の設置試験が独立して行われる。このため、接続異常が発生した場合に、試験作業者はその異常箇所を迅速かつ確実に特定することが可能となり、これによりシステムの設置時又は保守時における試験効率を大幅に高めることができる。また、ナースコール親機２を切り離した状態で設置試験を行えるので、既設のナースコールシステムの運用に影響を及ぼすことなく、新設部分の設置試験を行うことができる。
【００５３】
またこの実施形態では、ハンディナースコール主装置３に接続されるすべての携帯端末７１〜７ｍが一斉或いは順次自動的に呼び出される。このため、携帯端末が多数ある場合でも、これらのすべてについて短時間のうちに効率良く試験することが可能となる。
【００５４】
さらにこの実施形態では、設置試験手順実行中にアダプタ装置８から携帯端末７１〜７ｍに向け送信される制御コマンドの１つを利用して、試験中である旨の表示メッセージを送信するようにしている。このため、携帯端末７１〜７ｍの動作を確認する別の作業者が存在する場合に、この作業者に試験中である旨を明示することができ、同時に携帯端末７１〜７ｍの表示機能の動作チェックを行うことが可能となる。
【００５５】
さらにこの実施形態では、設置試験手順実行中にその実行結果ばかりでなく実行経過を表示部８７に表示するようにしている。このため、試験作業者は試験結果のみならず試験の実行経過を確認することができ、これにより発呼手順中に異常が発生した場合にその異常原因を比較的簡単にかつ短時間に特定することが可能となる。
【００５６】
なお、この発明は上記実施形態に限定されるものではない。例えば、アダプタ装置８に通話手段を設け、設置試験によりアダプタ装置８と携帯端末７１〜７ｍとの間で確立された通話リンクを介して両者間で通話試験を行えるようにしてもよい。このようにすると、アダプタ装置８と携帯端末７１〜７ｍとの間の接続の有無のみならず、通話品質についてもチェックすることができる。
【００５７】
また、アダプタ装置８内に、ナースコール親機２との区間とハンディナースコール主装置３との区間とを物理的に切り分ける線路切替スイッチを設け、この線路切替スイッチを操作することにより上記区間ごとに設置試験を行えるように構成してもよい。
【００５８】
さらに、前記実施形態ではアナログ方式のナースコール親機２とディジタル方式の構内ＰＨＳからなるハンディナースコール主装置３との間をアダプタ装置８により接続するシステムを例にとって説明した。しかし、それに限るものではなく、ディジタル方式のナースコール親機と、当該方式とは異なるディジタル方式のハンディナースコール主装置３との間をアダプタ装置８により接続するシステムにも、この発明を適用可能である。
【００５９】
要するに、信号方式が異なるナースコール親機２とハンディナースコール主装置３との間を接続するためにアダプタ装置を備えているシステムであれば、このアダプタ装置に本発明を適用することで、区間ごとの設置試験を効率良く行うことができる。
【００６０】
さらに、アダプタ装置に外部入出力インタフェースを設け、この外部入出力インタフェースに外部キー入力装置を接続することで動作モードを設定するようにしてもよく、同様に外部入出力インタフェースに外部表示装置を接続してこれに試験実行経過と実行結果を表示するようにしてもよい。
【００６１】
また、試験実行経過と実行結果を表示手段としてはＬＥＤ以外にＬＣＤ等を用いることもでき、さらには音声合成技術を用いて音声メッセージを生成して出力したり、プリントアウトするようにしてもよい。要するに、試験実行経過と実行結果を作業者に報知する手段であれば如何なる手段を用いてもよい。
【００６２】
さらに、前記実施形態では、この発明に係わる切り分け試験のための機能をアダプタ装置に設けた場合を例にとって説明したが、アダプタ装置の機能がナースコール親機内に設けられる場合には、この発明に係わる切り分け試験のための機能をナースコール親機内に設けるようにしてもよい。また、アダプタ装置の機能がハンディナースコール主装置内に設けられる場合には、この発明に係わる切り分け試験のための機能をハンディナースコール主装置内に設けるようにしてもよい。
【００６３】
その他、ナースコールシステムの構成、構内移動通信システムの構成と無線アクセス方式、アダプタ装置の構成及び処理手順と内容等についても、この発明の要旨を逸脱しない範囲で種々変形して実施できる。
【００６４】
要するにこの発明は、上記実施形態そのままに限定されるものではなく、実施段階においてはその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００６５】
【発明の効果】
以上詳述したようにこの発明では、動作モードを設定するスイッチを設け、このスイッチにより設定された動作モードが設置試験モードであるかその他のモードであるかを判定する。そして、設置試験モードが設定された場合に、移動通信主装置との間で携帯端末を試験的に呼び出すための発呼手順を自律的に実行し、かつこの試験発呼手順の実行結果を表す情報を表示するようにしている。
【００６６】
したがってこの発明によれば、設置試験に際しシステム内の異常原因を迅速にかつ的確に特定することができ、これにより試験効率を大幅に高めることが可能なナースコールシステムとそのアダプタ装置を提供することができる。
【図面の簡単な説明】
【図１】この発明の一実施形態に係わるナースコールシステムの概略構成図。
【図２】図１に示したナースコールシステムのアダプタ装置の機能構成を示すブロック図。
【図３】図２に示したアダプタ装置に設けられる入力操作部の構成の一例を示す図。
【図４】図２に示したアダプタ装置に設けられる表示部の構成の一例を示す図。
【図５】図２に示したアダプタ装置の制御手順の概要を示すフローチャート。
【図６】設置試験の実行シーケンスとＬＥＤによる試験経過の表示例を示す図。
【図７】設置試験の実行シーケンスとＬＥＤによる試験経過の表示例を示す図。
【図８】設置試験実行中に携帯端末に表示されるメッセージの一例を示す図。
【符号の説明】
１１〜１ｎ…病室ユニット、２…ナースコール親機、３…ハンディナースコール主装置、４…構内交換機（ＰＢＸ）、５…公衆網、６…無線ユニット、７…システム設定用電話機、８…アダプタ装置、６１，６２…無線基地局、７１〜７ｍ…携帯端末、８１…中央処理ユニット（ＣＰＵ）、８２…プログラムメモリ、８２ａ…動作モード判定プログラム、８２ｂ…設置試験実行制御プログラム、８２ｃ…試験経過表示制御プログラム、８３…記憶部、８４…ＲＡＭ、８５…通信インタフェース、８６…入力操作部（ディップスイッチ群）、８７…表示部（ＬＥＤ群）、８８…スピーチコーデック（ＣＯＤＥＣ）、８９…ＩＳＤＮインタフェース、９１，９２…通話増幅器、１０１…スピーカ、１０２…マイクロホン、１０３…トイレ・浴室用押しボタン、１０４…代表廊下灯、１０５…復旧ボタン、１０６…Ｉ／Ｏユニット、１０７…個別情報廊下灯、１０８…壁埋め込み型子機、１０９…ハンド型子機、１１０…握り押しボタン。
【図１】
2004312618.tif 000003
【図２】
2004312618.tif 000004
【図３】
2004312618.tif 000005
【図４】
2004312618.tif 000006
【図５】
2004312618.tif 000007
【図６】
2004312618.tif 000008
【図７】
2004312618.tif 000009
【図８】
2004312618.tif 000010